(57)【要約】【課題】鏡体の裏面側に収納部を有するミラーキャビネットにおいて、鏡体の曇り止めと収納部の衛生状態の維持とを図る。【解決手段】ミラーキャビネットＭにおける開閉扉として機能する鏡体１の裏面側に収納部２が設けられ、鏡体１の上端側及び下端側に通気ボックス４，６が配設され、上側の通気ボックス４に送風手段３が設けられる。通気ボックス４，６は内部に通気路４ａ，６ａを備える。上側の通気ボックス４に鏡体１表面に空気を吹き出す送気口５が形成され、下側の通気ボックス６に外部から収納部２内へ空気を取り込む吸気口７が形成される。送気口５から鏡体１表面へ吹き出す空気により鏡体１の曇り止め作用を営むと同時に、吸気口７より取り込んだ外部の空気を収納部２内を流通させることにより、収納部２の換気を行うと共に湿度を低く保ち、収納部２の衛生状態を良好に維持する。【選択図】      図３
2005052398.tif 000002
【特許請求の範囲】
【請求項１】
鏡体の裏面側に収納部を備えたミラーキャビネットであって、鏡体の上端側及び下端側に収納部と外部とを連絡する通気路が設けられ、少なくとも一方の通気路に送風手段が配置され、送風手段により、一方の通気路に形成した吸気口から空気を取り込んで収納部を流通させると共に、他方の通気路に形成した送気口から鏡体表面へ向けて空気を吹き出すように構成したことを特徴とするミラーキャビネット。
【請求項２】
上端側の通気路に送風手段を配置すると共に送気口を形成し、上端側の通気路から鏡体表面へ向けて空気を吹き出すように構成した請求項１に記載のミラーキャビネット。
【請求項３】
鏡体の裏面側に収納部を備えたミラーキャビネットであって、鏡体の左端側及び右端側に収納部と外部とを連絡する通気路が設けられ、少なくとも一方の通気路に送風手段が配置され、送風手段により、一方の通気路に形成した吸気口から空気を取り込んで収納部を流通させると共に、他方の通気路に形成した送気口から鏡体表面へ向けて空気を吹き出すように構成したことを特徴とするミラーキャビネット。
【請求項４】
通気路の途中に、流通空気に所定の処理を施す処理手段を配置した請求項１乃至３のいずれかに記載のミラーキャビネット。
【請求項５】
処理手段は、イオン発生器、除湿器、又は加熱器である請求項１乃至４のいずれかに記載のミラーキャビネット。
【請求項６】
送風手段は、空気の流通方向を反転可能に構成されている請求項１乃至５のいずれかに記載のミラーキャビネット。
【発明の詳細な説明】
【技術分野】
【０００１】
本発明は、鏡体の裏面側に収納部を備えるミラーキャビネットに関し、収納部を乾いた状態に保つと同時に、鏡体の曇り止めができる手段の提供を目的とする。
【背景技術】
【０００２】
図７に示すように、鏡体１を開閉扉としその裏面側に収納部２を有するミラーキャビネットＭは、例えば水栓器具１０が設置された洗面器１１を上部に備えるフロアキャビネットＦと組み合わされて、洗面化粧台Ｃを構築するのに用いられる。
【０００３】
特許文献１には、このようなミラーキャビネットを備える洗面化粧台において、ミラーキャビネットの収納部の内底に、送風器とセラミックヒーターとから成る温風送風器を配設し、この温風送風器から鏡体の表面側と裏面側とへ温風を吹き出させることにより、鏡体の曇り止めと、収納部との加熱とを行うことが記載されている。
【特許文献１】実公昭５５−５４３５６号公報
【発明の開示】
【発明が解決しようとする課題】
【０００４】
特許文献１に記載のミラーキャビネットは、収納部内底に配設した温風送風器から収納部内へ温風を吹き出すだけであり、収納部の換気については考慮されていない。従って、収納部内の空気が入れ替わらないで温度だけが上昇し、細菌やカビの繁殖温度になった場合、衛生環境をかえって悪化させるおそれがある。また、送風器やセラミックヒーター等の電気部品を含む温風送風器を収納部の内底に配設しているため、それらが収納部内に浸入した水と接触しやすく、故障や事故を起こしやすいという問題がある。
【課題を解決するための手段】
【０００５】
本発明が前記問題を解決するために採用したミラーキャビネットの特徴は、鏡体の上端側及び下端側に収納部と外部とを連絡する通気路を設け、少なくとも一方の通気路に送風手段を配置し、送風手段により、一方の通気路に形成した吸気口から空気を取り込んで収納部を流通させると共に、他方の通気路に形成した送気口から鏡体表面へ向けて空気を吹き出すように構成したことである。
【０００６】
前記ミラーキャビネットにおいて、上端側の通気路に送風手段を配置すると共に送気口を形成し、上端側の通気路から鏡体表面へ向けて空気を吹き出すように構成することが望ましい。
【０００７】
また本発明に係るミラーキャビネットは、鏡体の左端側及び右端側に収納部と外部とを連絡する通気路を設け、少なくとも一方の通気路に送風手段を配置し、送風手段により、一方の通気路に形成した吸気口から空気を取り込んで収納部を流通させると共に、他方の通気路に形成した送気口から鏡体表面へ向けて空気を吹き出すように構成することも可能である。
【０００８】
さらに本発明のミラーキャビネットは、通気路の途中に、流通空気に所定の処理を施すための処理手段を配置してもよく、その場合、処理手段は、イオン発生器、除湿器、又は加熱器とすることができる。
【０００９】
なお送風手段については、空気の流通方向を反転可能に構成することも可能である。
【発明の効果】
【００１０】
本発明に係るミラーキャビネットは、鏡体の上下端側又は左右端側に通気路を設け、この通気路に配置した送風手段により、空気が収納部を流通すると共に鏡体表面へ向けて空気が吹き出るように構成したので、鏡体の曇り止めができると同時に、収納部の換気が可能である。それ故、収納部を乾いた清潔な状態に容易に保つことができる。
【００１１】
上端側の通気路に送風手段を配置すると共に、上端側の通気路から鏡体表面へ向けて空気を吹き出すように構成した場合は、送風手段が水と接触しにくくなるから、安全性に優れる。また鏡体の上端側から空気を吹き出させることにより、ミラーキャビネット周囲の乾燥を促進する効果が得られる。
【００１２】
通気路の途中に、イオン発生器、除湿器、加熱器等の処理手段を配置した場合は、収納部を流通する空気及び／又は外部へ吹き出せる空気を目的に合わせて改質，変質させることができる。
【００１３】
さらに送風手段について空気の流通方向を反転可能に構成した場合は、状況に応じて、収納部の空気流通と、鏡体表面への空気吹出しのいずれを主とするかを選択することが可能となる。この態様は、通気路に配置される処理手段の持つ機能によって、きわめて有用な効果を発揮させることが可能である。
【発明を実施するための最良の形態】
【００１４】
［第１の実施形態］
図１及び図２は、本発明を適用したミラーキャビネットＭを備える洗面化粧台Ｃを示すものである。図示するように、本発明に係るミラーキャビネットＭは、水栓器具１０が設置される洗面器１１を上部に載設したフロアキャビネットＦと組み合わされて、洗面化粧台Ｃを構築するのに使用される。
【００１５】
図１，２に示すように、ミラーキャビネットＭにおける鏡体１は開閉扉として機能し、鏡体１の裏面側には収納部２が設けられる。また図３に示す如く、鏡体１の上端側及び下端側に通気ボックス４，６が配設され、通気ボックス４，６のいずれか一方（本例では上側の通気ボックス４）に送風手段３が設けられる。通気ボックス４，６は、内部に通気路４ａ，６ａを備え、収納部２と外部とを空気の流通可能に連絡するためのものである。本例では、上側の通気ボックス４に、鏡体１表面に向かって空気を吹き出すための送気口５が形成され、他方、下側の通気ボックス６に、外部から収納部２内へ空気を取り込むための吸気口７が形成されている。送風手段３は、送風ファン等から成り、軸流型，遠心型のいずれでもよい。送気口５，吸気口７の形状は特に限定されず、丸孔形状でもスリット形状でもよい。さらに、収納部２内に設けられる棚部８及び底面部９は、メッシュ等の網目構造やパンチングメタル等の多孔構造として、通気を容易にすることが望ましい。
【００１６】
前記ミラーキャビネットＭは、送風手段３を運転することにより、送気口５から鏡体１の表面へ向けて空気を吹き出す。これにより鏡体１の曇り止め作用が営まれる。また同時に、吸気口７より取り込んだ外部の空気を、収納部２内を流通させることにより、収納部２の換気を行うと共に湿度を低く保てるので、収納部２の衛生状態を良好に維持するのが容易となる。
【００１７】
なお本例では、電気部品である送風手段３を鏡体１の上端側に配置したので、収納部２内に浸入する水と接触する機会が少なくなり、それ故、漏電や感電等の事故を招くおそれが無い。また、上方の送気口５から吹き出させた空気は、鏡体１表面のみならず、洗面器１１等、ミラーキャビネットＭの周囲にある備品の乾燥を促進させる機能も発揮する。
【００１８】
［第２の実施形態］
本発明に係るミラーキャビネットＭにおいて、通気路の途中に所定の処理を施す処理手段を配置し、流通空気を改質・変質させることが考えられる。例えば図４に例示するように、上方の送気口５側の通気路４ａに負イオンの発生器２０を配置し、下方の吸気口７側の通気路６ａに正イオン又は正負イオンの発生器２１を配置することが考えられる。この場合、上側の通気ボックス４には、空気吹出し方向が鏡体１表面方向に設定された送気口５ａと、鏡体１の正面方向に設定された送気口５ｂとを形成してもよい。
【００１９】
かかる構成によれば、送風手段３で外部へ吹き出させる空気に負イオンを混入させて、ミラーキャビネットＭの周囲の人間に鎮静作用・精神安定作用・自律神経調整作用・血液浄化作用等の優れた生理活性を及ぼすことが期待できる。他方、外部から取り込んで収納部２内を流通させる空気に、空気中の浮遊細菌に対し殺菌作用を発揮する正イオン又は正負イオンを含ませることができるから、収納部２内を殺菌して、衛生性の向上をもたらすことができる。
【００２０】
なお、イオン発生器２０，２１は、いずれか一方だけを採用しても良い。また、通気路４ａ，６ａに配置する処理手段としては、イオン発生器以外に、除湿器や加熱器なども採用可能である。いずれも、収納部２の内部環境を低湿度化する機能を発揮する。
【００２１】
［第３の実施形態］
図５に示すように、通気路４ａに配置する送風手段３として、空気の流通方向を反転可能なものとすることも可能である。この場合、例えば処理手段に、生成イオンの種類を切替可能なイオン発生器２２を採用する。これにより本例では、図５（Ａ）の如く、イオン発生器２２が負イオンを生成すると共に、イオン発生器２２を通過する空気が外部へ放出されるように送風手段２２を運転する態様と、図５（Ｂ）のように、イオン発生器２２が正イオン又は正負イオンを生成すると共に、イオン発生器２２を通過する空気が収納部２内を流通するように送風手段２２を運転する態様とを、所望により切り替えて採用することが可能である。
【００２２】
［第４の実施形態］
図６に示すように、収納部２と外部とを連絡する通気路を備える通気ボックス４，６を鏡体１の左端側及び右端側に配置する構成も可能である。
【産業上の利用可能性】
【００２３】
本発明に係るミラーキャビネットＭは、洗面化粧台Ｃの一部として使用される以外に、単独でウォールキャビネット等として用いることも可能である。図示は省略するが、送風手段３を鏡体１の下端側に配置することも妨げない。
【図面の簡単な説明】
【００２４】
【図１】本発明に係るミラーキャビネットの第１の実施形態を示す洗面化粧台の斜視図である。
【図２】本発明に係るミラーキャビネットの第１の実施形態を示す鏡体を開いた状態の洗面化粧台の斜視図である。
【図３】本発明に係るミラーキャビネットの第１の実施形態を示す側面断面図である。
【図４】本発明に係るミラーキャビネットの第２の実施形態を示す側面断面図である。
【図５】本発明に係るミラーキャビネットの第３の実施形態を示す側面断面図であり、図（Ａ）（Ｂ）は空気の流通方向を反転させた状態を示すものである。
【図６】本発明に係るミラーキャビネットの第４の実施形態を示す洗面化粧台の斜視図である。
【図７】従来のミラーキャビネットを備える洗面化粧台の斜視図である。
【符号の説明】
【００２５】
Ｍ…ミラーキャビネット
１…鏡体
２…収納部
３…送風手段
４…通気ボックス
４ａ…通気路
５…送気口
６…通気ボックス
５ａ…通気路
７…吸気口
８…棚部
９…収納部底部
Ｃ…洗面化粧台
【図１】
2005052398.tif 000003
【図２】
2005052398.tif 000004
【図３】
2005052398.tif 000005
【図４】
2005052398.tif 000006
【図５】
2005052398.tif 000007
【図６】
2005052398.tif 000008
【図７】
2005052398.tif 000009